(57)【要約】  ＧＰＳアンテナの機能傘部から離れた領域の電子部品が発生する電磁波を分散でき、それによりＧＰＳアンテナが適切に保護された測位システムを有する電子装置（１）は、遮蔽材料の壁（２１）および非遮蔽材料の窓（２２）によって形成され、人工衛星アンテナ（１８）を収容する閉鎖された部屋（２０）が画定されたケース（２）であって、前記部屋がその一部分に配置されているケース（２）を含み、前記ケース（２）は、前記非遮蔽材料の窓（２２）が形成された前記一部分を含む遮蔽材料の第１の半殻（２４）と、前記ケースの前記非遮蔽材料の窓（２２）と反対側の面を画定する非遮蔽材料の第２の半殻（２５）とによって形成されている。
2010527529.tif 000002
【特許請求の範囲】
【請求項１】
人工衛星アンテナ（１８）を収容する遮蔽材料の壁（２１）および非遮蔽材料の窓（２２）によって形成された閉鎖された部屋（２０）が画定されたケース（２）であって、前記部屋がその一部分に配置されているケース（２）を含み、
前記ケースは、前記非遮蔽材料の窓（２２）が形成された前記一部分を含む遮蔽材料の第１の半殻（２４）と、前記ケースの前記非遮蔽材料の窓（２２）と反対側の面を画定する非遮蔽材料の第２の半殻（２５）とによって形成されている、
測位システムと一体化された電子装置（１）。
【請求項２】
前記遮蔽材料は、電磁波を反射する請求項１に記載の装置（１）。
【請求項３】
前記遮蔽材料は、遮蔽物質が導入された合成樹脂である請求項２に記載の装置（１）。
【請求項４】
前記窓（２２）が形成された前記一部分は、前記装置（１）の通常の使用の間上を向く、前記装置（１）の前面の領域に対応する請求項１に記載の装置（１）。
【請求項５】
前記前面に、ユーザインターフェイス（３，５）が配置されている請求項４に記載の装置（１）。
【請求項６】
前記インターフェイスは、スクリーン（３）を含む請求項５に記載の装置（１）。
【請求項７】
前記２つの半殻（２４，２５）は、長手方向周囲の接合線（２３）で接合されている請求項１に記載の装置（１）。
【請求項８】
データを取得する手段と、前記データに前記人工衛星アンテナ（１８）を通して取得した測位情報を関連付けるソフトウェアとを含む請求項１から７のいずれかに記載の装置（１）。
【請求項９】
計時手段を含み、前記収集したデータと前記測位情報との間の前記関連付けに、時間情報が加えられる請求項１に記載の装置（１）。
【請求項１０】
前記関連付けを暗号化する手段を含む請求項９に記載の装置（１）。
【発明の詳細な説明】
【技術分野】
【０００１】
測位システムが一体化された電子装置、例えばデータを検索および照合するようなものに関する。
【背景技術】
【０００２】
データの制御および識別の様々な機能を果たす装置が知られている。しかしながら、多くの種類の照合があり、互いに異なる処理を実行することを必要とする。人工衛星を用いた測位システムの採用は、特定の場所を定める正確な地理的情報を、それぞれの取得したデータに割り当てることを可能にする。
【０００３】
しかしながら、特に警察活動の状況では、小型で容易に取り扱える装置を所有することが必要とされるが、利用可能な装置は、大きなサイズを有し、それが持ち運び可能であるときにも、電子装置の本体から分離された人工衛星アンテナを有する。
【０００４】
そのような分離の理由は、アンテナの感度と、通常の電子部品によって生成される電磁歯の周波数が人工衛星アンテナを妨害するかもしれないことによる。
【０００５】
人工衛星測位システムを使用するあらゆる持ち運び可能な電子装置、例えば人工衛星ナビゲーション装置においても、同じ問題に遭遇する。
【０００６】
この制約は、それ故、測位システムの普及を制限してきた。なぜなら、ユーザが、有線または無線伝送システムで互いに接続された、２つの分離された部材、つまり、装置とアンテナとを取り扱う必要があるからである。
【０００７】
さらに、人工衛星アンテナは、分離体として使用可能であるために独自の電源を必要とするので、電源ユニットに接続するためのさらなるワイヤの使用が必要である。
【発明の概要】
【発明が解決しようとする課題】
【０００８】
本発明の根本的な技術的課題は、人工衛星アンテナを一体化し、公知技術に関して言及した問題を取り除いた小型の電子装置を提供することである。
【課題を解決するための手段】
【０００９】
そのような課題は、人工衛星アンテナを収容する遮蔽材料の壁および非遮蔽材料の窓によって形成された閉鎖された部屋が画定されたケースであって、前記部屋がその一部分に配置されているケースを含み、前記ケースは、前記非遮蔽材料の窓が形成された前記一部分を含む遮蔽材料の第１の半殻と、前記ケースの前記非遮蔽材料の窓と反対側の面を画定する非遮蔽材料の第２の半殻とによって形成されている上述の電子装置により解決される。
【発明の効果】
【００１０】
上述の装置の主な利点は、ＧＰＳアンテナの機能傘部から遠く離れた場所にある電子部品が発生する電磁波の十分な分配により、ＧＰＳアンテナの最適に保護を可能にすることである。
【図面の簡単な説明】
【００１１】
【図１】本発明に係る通信システムと一体化された、識別データの検索および照合のための装置の、その機能を説明する絵画的斜視図である。
【図２】図１の装置の付属品とともに示す長手方向断面図である。
【発明を実施するための形態】
【００１２】
本発明は、これより、例示的で非限定的な目的で提供される、データの検索および文書の照合のための電子装置の好ましい実施形態について、添付の図を参照しながら開示される。
【００１３】
図に関して、識別データの検索、照合および転送のために準備された装置は、全体を１で示されている。
【００１４】
それは、耐衝撃材料からなり、完全に密閉された、気象要素からも内部を保護するのに好ましい堅い本体２を含む。本体２の表面は、滑り止めになっている。それは、衝撃および踏み潰しにも耐え得る。特に、本体２は、ＩＰ５４規格、つまり、埃および散水のある中で操作でき、尖ったものが貫通しないものに合致し得る。
【００１５】
その全体の外観に一致して、装置１は、手で持って操作できる装置であり、望ましくは、片手で握られ、その前面に、ディスプレイオン／オフボタン４およびキーボード５を有する入出力装置であるグラフィックインターフェイス３を備える。
【００１６】
この種の装置は、人工衛星測位システムを含み得るパームサイズコンピュータ、携帯電話等の広範な類似装置と実質的に同様である。
【００１７】
本実施形態において、装置１は、音声検出および録音手段と、装置１の本体２上のマイク入口６として表されているスピーカとを含む。マイクおよびスピーカは、電話機として使用するのに適する。
【００１８】
側面には、例えばＵＳＢ形式の、オーディオ接続、電源供給およびＰＣ接続のための差し込みが存在する。しかしながら、それは、ディジタル形式でデータを転送するのに好ましい、いかなるデータ転送の差し込みも設けられ得ることを意図する。オーディオ接続差し込みは、好ましくは上述の電話機のイヤフォンに接続できる。
【００１９】
装置１は、底面にカードＣを挿入するためのスリット１１を有し、装置の内部には、マイクロチップを読み取るセンサが設けられている。
【００２０】
そのようなセンサは、個別の身分証明データを含んだマイクロチップが設けられた文書を照合する動作を行うことができる。このセンサは、とにかく、証拠等の検索のために装置を使用するオペレータを識別する手段として機能する。
【００２１】
事実として、装置は、承認されたオペレータのリストに名前が載っているオペレータの身分証明文書の挿入の後にしか動作しないように構成され得る。装置１は、また、取得したデータに割り付けるために、ユーザの身元を記録する。
【００２２】
装置１は、反対側の面に、ディジタル形式の、写真撮影およびビデオ撮影ができる、画像を取得する手段１２を有する。装置１は、さらに、シリコン型の走査面１６を含む指紋読み取り手段を有する。後者は、例えばオペレータの指紋を識別することにより、証拠等の検索ために装置を使用するオペレータを識別する手段としても機能し得ることが明らかである。
【００２３】
上述の手段は、装置１のデータを取得する手段として具現化される。
【００２４】
特に、装置１の操作は、オペレータの識別データ、例えば指紋が記録されているチップカードの挿入の後、且つ、例えば走査面１６を通した、そのようなデータの確認の後にのみ許可される。このような方法では、装置は、一人のオペレータとだけ関係付けられておらず、オペレータは装置を使用する前に彼自身の身元を証明しなければならない。
【００２５】
同時の事前準備が、収集されたデータの検証にも適用されてもよい。そして、適切に保護されたＧＰＳアンテナ１８を含む人工衛星方式の測位手段が設けられている。
【００２６】
本実施形態に係る装置は、移動体通信手段を含む。装置１の内側部分は、移動体通信のためのアンテナ、例えばＧＳＭアンテナと、バッテリと、暗号化カードと、メモリカードと、プロセッサとを収容する。
【００２７】
それ故、装置１は、慎重に取り扱うべきデータの暗号化手段、例えば、非対称二重キーを有する方式のものを含む。
【００２８】
上の記載から、装置１は、相互に作用し合い、アンテナ１８を阻害するかもしれない周波数で動作するバスで適切に接続された、幾つかの電子部品を含むことが注記される。
【００２９】
ケース２の内側に、人工衛星アンテナ１８を収容する部屋２０が形成されている。部屋は、インターフェイス３が配置されたケースの表面に隣接して形成されている。そのような面は、装置１の通常の使用の間、上を向けられる。
【００３０】
前記部屋２０は、遮蔽材料で実現された壁２１によって形成されている。遮蔽材料であるそれは、電磁波を反射する。様々なタイプの遮蔽材料が存在する。好ましい材料は、金属タイプの遮蔽物質が導入された合成樹脂（テクノポリマー）からなる。
【００３１】
部屋２０は、通常の耐衝撃材料または他の電磁波を通す材料である非遮蔽材料により実現された窓２２を有する。
【００３２】
そのような窓２２は、前記ケース２の一部分、即ち、装置の前面のそれ故に上に向けられ、人工衛星の信号の受信に最適な配置の領域に配設されている。
【００３３】
また、ケース２は、長手方向周囲の接続線２３で接合された２つの半殻からなる。
【００３４】
前記前面に対応し、そこに前記窓２２が画定された前記領域を包含する第１の半殻２４は、部屋２０の壁２１と同じ遮蔽材料で実現されている。
【００３５】
ケース２の裏面に位置する第２の半殻２５は、非遮蔽材料で実現されている。そのような第２の半殻は、ケース２において、前記非遮蔽材料の窓２２に対する反対面を画定することが注記される。
【００３６】
電子部品によって生成された電磁波は、人工衛星アンテナの機能傘部の向きと反対の方向に反射されるので、いかなる干渉も防止される。
【００３７】
そのような装置により得られる測位情報は、それ故、正確で迅速に生成される。
【００３８】
本実施形態において、上述の取得手段により収集されたデータ、つまり、画像、ビデオまたは録音、指紋など、或いは、いかなる補助手段によって得られた他のいかなるデータであっても、人工衛星測位システムを通して得られた測位情報に関連付けられ得る。
【００３９】
人工衛星測位情報の正確さは、その関連付けを、特定の場所で特定のデータの収集の証明要素を構成するのに特に好ましくする。
【００４０】
電子時計のような計時手段を通して得られる時間のような情報との関連付けは、その関連付けをさらに正確にする。この種の関連付けは、人工衛星アンテナ１８が収容された同じ装置に予め読み込まれたソフトウェアによって実行できる。
【００４１】
これらの情報の一部は、それ故、次なる使用のために暗号化されて転送され得る。そして、ここに開示した装置は、警察のパトロール業務の補助、データ収集、身分照会、証拠の検索等に採用するのに特に有用である。
【００４２】
人工衛星測位システムと一体化された上述の電子装置について、当業者は、さらなる付随の要求を達成するために、追加の様々な改良および変形をすることができるが、それらはすべて添付の特許請求の範囲に明示した本発明の範囲に含まれる。
【図１】
2010527529.tif 000003
【図２】
2010527529.tif 000004
【国際調査報告】
2010527529.tif 000005
2010527529.tif 000006
2010527529.tif 000007